【手続補正書】
【提出日】平成20年2月20日(2008.2.20)
【手続補正１】
【補正対象書類名】明細書
【補正対象項目名】特許請求の範囲
【補正方法】変更
【補正の内容】
【特許請求の範囲】
【請求項１】  システムキッチン等の住宅機器を、発注側端末装置から通信ネットワークを介してサーバーに発注することが可能な住宅機器の受発注支援システムであって、
前記サーバーは、
前記住宅機器を、形状、材質、及び寸法等の構成要素に基づいて区別するとともに、前記住宅機器の識別情報及び前記構成要素における条件を互いに関連付けて記憶した要素情報記憶手段と、
前記住宅機器の形状を表す形状情報を、前記識別情報に対応させて記憶した形状情報記憶手段と、
前記構成要素毎の希望条件を取得するために、前記発注側端末装置に対して、複数の質問を順次出力する質問情報出力手段と、
前記質問に対する回答として、前記発注側端末装置から前記希望条件が入力されると、該希望条件に合致する前記住宅機器を、前記要素情報記憶手段に記憶された前記識別情報及び前記条件の関連付けに基づいて特定し、特定された前記住宅機器の前記識別情報を抽出する識別情報抽出手段と、
抽出された前記識別情報を、一覧表の形式で、前記発注側端末装置に出力する識別情報出力手段と、
複数の前記希望条件が全て入力されると、抽出された前記識別情報に対応する前記形状情報を、前記形状情報記憶手段から抽出する形状情報抽出手段と、
抽出された前記形状情報を前記発注側端末装置に出力する形状情報出力手段と
を具備し、
前記要素情報記憶手段は、夫々の前記識別情報と夫々の前記質問における選択番号との関係を示すテーブルを有し、
前記識別情報抽出手段は、夫々の前記質問に対する回答として選択番号が選択されると、該選択番号の組合せに合致する前記住宅機器の前記識別情報を前記テーブルに基づいて特定する
ことを特徴とする住宅機器の受発注支援システム。
【請求項２】  前記要素情報記憶手段には、さらに前記住宅機器の在庫状況を示す在庫情報が、前記識別情報に対応して記憶され、
前記識別情報抽出手段は、前記識別情報とともに前記在庫情報を抽出し、
前記識別情報出力手段は、前記識別情報とともに前記在庫情報を出力する
ことを特徴とする請求項１に記載の住宅機器の受発注支援システム。
【請求項３】  前記識別情報抽出手段によって抽出された前記在庫情報に基づき、前記住宅機器の不足状況を判断する不足状況判断手段と、
前記住宅機器が不足していると判断された際、特定された前記住宅機器の代わりに類似品を使用すること、を促す旨のメッセージを、前記発注側端末装置に出力するメッセージ出力手段と
をさらに具備することを特徴とする請求項２に記載の住宅機器の受発注支援システム。
【請求項４】  システムキッチン等の住宅機器を、発注側端末装置から通信ネットワークを介してサーバーに発注することが可能な住宅機器の受発注支援システムにおいて使用される受発注支援プログラムであって、
前記住宅機器を、形状、材質、及び寸法等の構成要素に基づいて区別するとともに、前記住宅機器の識別情報及び前記構成要素における条件を互いに関連付けて記憶した要素情報記憶手段、
前記住宅機器の形状を表す形状情報を、前記識別情報に対応させて記憶した形状情報記憶手段、
前記構成要素毎の希望条件を取得するために、前記発注側端末装置に対して、複数の質問を順次出力する質問情報出力手段、
前記質問に対する回答として、前記発注側端末装置から前記希望条件が入力されると、該希望条件に合致する前記住宅機器を、前記要素情報記憶手段に記憶された前記識別情報及び前記条件の関連付けに基づいて特定し、特定された前記住宅機器の前記識別情報を抽出する識別情報抽出手段、
抽出された前記識別情報を、一覧表の形式で、前記発注側端末装置に出力する識別情報出力手段、
複数の前記希望条件が全て入力されると、抽出された前記識別情報に対応する前記形状情報を、前記形状情報記憶手段から抽出する形状情報抽出手段、
抽出された前記形状情報を前記発注側端末装置に出力する形状情報出力手段
として前記サーバーを機能させ、
前記要素情報記憶手段は、夫々の前記識別情報と夫々の前記質問における選択番号との関係を示すテーブルを有し、
前記識別情報抽出手段は、夫々の前記質問に対する回答として選択番号が選択されると、該選択番号の組合せに合致する前記住宅機器の前記識別情報を前記テーブルに基づいて特定する
ことを特徴とする受発注支援プログラム。
【手続補正２】
【補正対象書類名】明細書
【補正対象項目名】０００７
【補正方法】変更
【補正の内容】
【０００７】
【課題を解決するための手段】
請求項１の発明にかかる受発注支援システムは、システムキッチン等の住宅機器を、発注側端末装置から通信ネットワークを介してサーバーに発注することが可能なものである。特に、前記サーバーは、前記住宅機器を、形状、材質、及び寸法等の構成要素に基づいて区別するとともに、前記住宅機器の識別情報及び前記構成要素における条件を互いに関連付けて記憶した要素情報記憶手段と、前記住宅機器の形状を表す形状情報を、前記識別情報に対応させて記憶した形状情報記憶手段と、前記構成要素毎の希望条件を取得するために、前記発注側端末装置に対して、複数の質問を順次出力する質問情報出力手段と、前記質問に対する回答として、前記発注側端末装置から前記希望条件が入力されると、該希望条件に合致する前記住宅機器を、前記要素情報記憶手段に記憶された前記識別情報及び前記条件の関連付けに基づいて特定し、特定された前記住宅機器の前記識別情報を抽出する識別情報抽出手段と、抽出された前記識別情報を、一覧表の形式で、前記発注側端末装置に出力する識別情報出力手段と、複数の前記希望条件が全て入力されると、抽出された前記識別情報に対応する前記形状情報を、前記形状情報記憶手段から抽出する形状情報抽出手段と、抽出された前記形状情報を前記発注側端末装置に出力する形状情報出力手段とを具備し、前記要素情報記憶手段は、夫々の前記識別情報と夫々の前記質問における選択番号との関係を示すテーブルを有し、前記識別情報抽出手段は、夫々の前記質問に対する回答として選択番号が選択されると、該選択番号の組合せに合致する前記住宅機器の前記識別情報を前記テーブルに基づいて特定するものである。
【手続補正３】
【補正対象書類名】明細書
【補正対象項目名】００１６
【補正方法】変更
【補正の内容】
【００１６】
請求項４の発明にかかる受発注支援プログラムは、システムキッチン等の住宅機器を、発注側端末装置から通信ネットワークを介してサーバーに発注することが可能な住宅機器の受発注支援システムにおいて使用されるものである。特に、前記住宅機器を、形状、材質、及び寸法等の構成要素に基づいて区別するとともに、前記住宅機器の識別情報及び前記構成要素における条件を互いに関連付けて記憶した要素情報記憶手段、前記住宅機器の形状を表す形状情報を、前記識別情報に対応させて記憶した形状情報記憶手段、前記構成要素毎の希望条件を取得するために、前記発注側端末装置に対して、複数の質問を順次出力する質問情報出力手段、前記質問に対する回答として、前記発注側端末装置から前記希望条件が入力されると、該希望条件に合致する前記住宅機器を、前記要素情報記憶手段に記憶された前記識別情報及び前記条件の関連付けに基づいて特定し、特定された前記住宅機器の前記識別情報を抽出する識別情報抽出手段、抽出された前記識別情報を、一覧表の形式で、前記発注側端末装置に出力する識別情報出力手段、複数の前記希望条件が全て入力されると、抽出された前記識別情報に対応する前記形状情報を、前記形状情報記憶手段から抽出する形状情報抽出手段、抽出された前記形状情報を前記発注側端末装置に出力する形状情報出力手段、として前記サーバーを機能させ、前記要素情報記憶手段は、夫々の前記識別情報と夫々の前記質問における選択番号との関係を示すテーブルを有し、前記識別情報抽出手段は、夫々の前記質問に対する回答として選択番号が選択されると、該選択番号の組合せに合致する前記住宅機器の前記識別情報を前記テーブルに基づいて特定するものである。